(57)【特許請求の範囲】
【請求項１】
円板状の記録媒体であるディスクに記録されている画像を再生するディスク再生装置であって、ディスクから再生された画像に重畳されるＯＳＤ画像を生成するＯＳＤ画像生成手段を有するディスク再生装置において、
前記ＯＳＤ画像生成手段は、ＣＰＵと、ＯＳＤ画像の各ドットがキャラクタ部分であるか背景部分であるかを示すパターンデータ、及び、ＯＳＤ画像のキャラクタ部分と背景部分との色を指定する着色用データを格納したＲＯＭと、ＯＳＤ画像の背景部分がとり得る各色のデータをＯＳＤ画像の１ライン分ずつ格納した第１のＲＡＭと、ＯＳＤ画像の１ライン分だけ色のデータを格納可能な容量をもった第２のＲＡＭと、ＯＳＤ画像の全ドット分だけ色のデータを格納可能な容量をもった表示用のメモリである第３のＲＡＭと、ＲＡＭ間でデータをＤＭＡ転送するＤＭＡコントローラと、を備えており、前記ＤＭＡコントローラがＯＳＤ画像の背景部分として指定されている色の１ライン分のデータを前記第１のＲＡＭから前記第２のＲＡＭにＤＭＡ転送し、次に、前記ＣＰＵが前記パターンデータ及び前記着色用データに基づいて着目中のライン上におけるＯＳＤ画像のキャラクタ部分及びＯＳＤ画像のキャラクタ部分として指定されている色を認識し、着目中のライン上におけるＯＳＤ画像のキャラクタ部分に対応する、前記第２のＲＡＭ上の領域にＯＳＤ画像のキャラクタ部分として指定されている色のデータを格納し、次に、前記ＤＭＡコントローラが前記第２のＲＡＭに格納されているデータを着目中のラインに対応する、前記第３のＲＡＭ上の領域にＤＭＡ転送するという一連の動作が、各ラインに順次着目してＯＳＤ画像のライン数だけ繰り返し行われることによって、ＯＳＤ画像が生成されることを特徴とするディスク再生装置。
【請求項２】
ある画像に重畳されるＯＳＤ画像の生成方法において、ＯＳＤ画像の背景部分がとり得る各色のデータがＯＳＤ画像の１ライン分ずつ予め格納された第１のメモリから、要求されたＯＳＤ画像の背景部分として指定されている色の１ライン分のデータを、ＯＳＤ画像の１ライン分だけ色のデータを格納可能な容量をもった第２のメモリにＤＭＡ転送し、次に、ＣＰＵが着目中のライン上におけるＯＳＤ画像のキャラクタ部分及びＯＳＤ画像のキャラクタ部分として指定されている色を認識し、着目中のライン上におけるＯＳＤ画像のキャラクタ部分に対応する、前記第２のメモリ上の領域にＯＳＤ画像のキャラクタ部分として指定されている色のデータを格納し、次に、前記第２のメモリに格納されているデータを、ＯＳＤ画像の全ドット分だけ色のデータを格納可能な容量をもった表示用のメモリである第３のメモリ上の、着目中のラインに対応する領域にＤＭＡ転送するという一連の動作を、各ラインに順次着目してＯＳＤ画像のライン数だけ繰り返し行うことによってＯＳＤ画像を生成することを特徴とするＯＳＤ画像の生成方法。
【発明の詳細な説明】
【０００１】
【発明の属する技術分野】
本発明は、ある画像に重畳されるＯＳＤ（Ｏｎ  Ｓｃｒｅｅｎ  Ｄｉｓｐｌａｙ）画像の生成方法に関するものである。
【０００２】
【従来の技術】
ＤＶＤ（Ｄｉｇｉｔａｌ  Ｖｉｄｅｏ  Ｄｉｓｃ）などの円板状の記録媒体であるディスクに記録されている画像を再生するディスク再生装置では、ディスクから再生された画像にＯＳＤ画像を重畳する機能を備えている。従来、このＯＳＤ画像は、ＯＳＤ画像の各ドットがキャラクタ部分であるか背景部分であるかを示すパターンデータ、及び、ＯＳＤ画像のキャラクタ部分と背景部分との色を指定する着色用データをＲＯＭ（Ｒｅａｄ  Ｏｎｌｙ  Ｍｅｍｏｒｙ）に格納しておき、ＣＰＵ（Ｃｅｎｔｒａｌ  Ｐｒｏｃｅｓｓｉｎｇ  Ｕｎｉｔ）がＲＯＭに格納されているパターンデータ及び着色用データに基づいて１ドットずつ表示用のメモリに展開することによってＯＳＤ画像を生成していた。
【０００３】
尚、画像をメモリに展開するとは、画像のパターンデータ及び着色用データに基づいて着目中のドットがキャラクタ部分であるか背景部分であるかを認識するとともにキャラクタ部分、背景部分としてそれぞれ指定されている色を認識し、キャラクタ部分についてはキャラクタ部分として指定されている色のデータを、背景部分については背景部分として指定されている色のデータを、着目中のドットに対応するメモリ上の領域にそれぞれ格納することを意味している。
【０００４】
【発明が解決しようとする課題】
このように、従来は、パターンデータ及び着色用データに基づいて１ドットずつメモリに展開することによってＯＳＤ画像を生成していたため、ＯＳＤ画像が生成されるまでに要する時間が長かった。その結果、操作性に支障を来していた。また、ＯＳＤ画像を生成するマイクロコンピュータは、通常は、ＯＳＤ画像を生成するためだけに使用されることはなく、他の処理を行うようになっているが、ＯＳＤ画像の生成を行っている間はＣＰＵが占有されてしまうため、他の処理を効率良く行うことができなかった。
【０００５】
尚、今回展開するＯＳＤ画像の背景部分と直前に展開していたＯＳＤ画像の背景部分とが同じ色である場合は、単純にＯＳＤ画像の背景部分については展開しないようにすれば、ＯＳＤ画像の生成に要する時間を短縮することができるが、直前に展開していたＯＳＤ画像のキャラクタと今回展開したＯＳＤ画像のキャラクタとが重なった画像となってしまう。
【０００６】
また、特開平９−９０９２３の公報に開示されている技術は、複数画面の重ね合わせにおける透明色と優先色の任意の複数化、及び、透明色や優先色指定の書き換えの高速化を図るものであり、上記課題を解決するものではない。
【０００７】
また、特開２０００−９８９９３の公報に開示されている技術は、表示コントローラの消費電力を減らし、かつ、上位からのフレームバッファアクセスと表示コントローラ内でのフレームバッファアクセスとの競合を減らすものであり、上記課題を解決するものではない。
【０００８】
そこで、本発明は、ＯＳＤ画像が生成されるまでに要する時間を短縮するとともに、他の処理を効率良く行うことができるようにしたＯＳＤ画像生成方法を提供することを目的とする。
【０００９】
【課題を解決するための手段】
上記の目的を達成するため、本発明では、ＯＳＤ画像の背景部分がとり得る各色のデータがＯＳＤ画像の１ライン分ずつ予め格納された第１のメモリから、要求されたＯＳＤ画像の背景部分として指定されている色の１ライン分のデータを、ＯＳＤ画像の１ライン分だけ色のデータを格納可能な容量をもった第２のメモリにＤＭＡ転送し、次に、ＣＰＵが着目中のライン上におけるＯＳＤ画像のキャラクタ部分及びＯＳＤ画像のキャラクタ部分として指定されている色を認識し、着目中のライン上におけるＯＳＤ画像のキャラクタ部分に対応する、前記第２のメモリ上の領域にＯＳＤ画像のキャラクタ部分として指定されている色のデータを格納し、次に、前記第２のメモリに格納されているデータを、ＯＳＤ画像の全ドット分だけ色のデータを格納可能な容量をもった表示用のメモリである第３のメモリ上の、着目中のラインに対応する領域にＤＭＡ転送するという一連の動作を、各ラインに順次着目してＯＳＤ画像のライン数だけ繰り返し行うことによってＯＳＤ画像を生成する。
【００１０】
【発明の実施の形態】
以下に本発明の実施形態を図面を参照しながら説明する。図１は本発明を適用したディスク再生装置のブロック図である。ディスクモータ２によって回転駆動されるディスク１から情報を検出するピックアップ３の出力は、ＲＦアンプ４を介して信号処理回路５とサーボ処理回路６とに導かれており、サーボ処理回路６の出力は、デジタルシグナルプロセッサ（以下、「ＤＳＰ」）５に導かれている。
【００１１】
また、ＤＳＰ５には、ＲＦアンプ４によって増幅され、ＤＶＤ規格に従ってデコードされたデータ（但し、ここでは、ＭＰＥＧ（Ｍｏｔｉｏｎ  Ｐｉｃｔｕｒｅ  Ｅｘｐｅｒｔ  Ｇｒｏｕｐ）により圧縮されている）を一旦格納するトラックバッファＲＡＭ（Ｒａｎｄｏｍ  Ａｃｃｅｓｓ  Ｍｅｍｏｒｙ）７が接続されている。これらＲＦアンプ４、ＤＳＰ５、及び、サーボ処理回路６は、マイクロコンピュータ８によって制御される。このように、マイクロコンピュータ８は、ディスク１から情報を再生する動作の制御を司るものであり、以下、「フロントエンドマイコン」と称するものとする。
【００１２】
サーボ処理回路６は、フロントエンドマイコン８からＤＳＰ５を経由して送受信されるコマンドや制御データに従って、ピックアップ３に対するフォーカシングサーボやトラッキングサーボのサーボ制御を行うとともに、ピックアップ３全体をディスク１の半径方向に移動させるためのスレッドモータ９の制御や、ディスク１を装填する不図示のトレイを駆動するトレイモータ１０の制御を行う。
【００１３】
尚、トレイに装填されたディスク１がＤＶＤである場合の再生信号は、ＲＦアンプ４を経由してＤＳＰ５に入力され、一方、トレイに装填されたディスク１がＣＤ−ＲＯＭ（Ｃｏｍｐａｃｔ  Ｄｉｓｃ  −  Ｒｅａｄ  Ｏｎｌｙ  Ｍｅｍｏｒｙ）である場合の再生信号は、ＲＦアンプ４からサーボ処理回路６を経由してＤＳＰ５に入力される。ＤＳＰ５は、これらＤＶＤデータのデコード処理やＣＤ−ＲＯＭデータのデコード処理等も行う。
【００１４】
また、ＤＳＰ５は、Ａ／Ｖ（Ａｕｄｉｏ／Ｖｉｄｅｏ）デコーダ１１に接続されており、Ａ／Ｖデコーダ１１の出力は、ビデオエンコーダ１３とＤ／Ａコンバータ１４とに接続されている。Ａ／Ｖデコーダ１１は、トラックバッファＲＡＭ７から読み出されたＭＰＥＧにより圧縮されているデータを伸長する。また、Ａ／Ｖデコーダ１１には、伸長したデジタルのデータを数画面分格納するためのＡ／ＶデコードＲＡＭ１５が接続されている。
【００１５】
また、Ａ／Ｖデコーダ１１は、マイクロコンピュータ１６に接続されており、マイクロコンピュータ１６には、ワークＲＡＭ１７が接続されている。尚、マイクロコンピュータ１６は、ディスク１から再生された情報を出力する動作の制御を司るものであり、以下、「バックエンドマイコン」と称するものとする。また、フロントエンドマイコン８とバックエンドマイコン１６との連携によりディスク再生装置全体の動作が制御されている。
【００１６】
また、バックエンドマイコン１６には、ＬＣＤ等から成るフロントパネル２０の表示制御を行うフロントパネルコントローラ１９が接続されており、フロントパネルコントローラ１９には、キー入力部２１の出力が導かれている、また、フロントパネルコントローラ１９には、リモコン２２からの送信信号を受信する不図示の受信部が設けられている。
【００１７】
ここで、上記構成のディスク再生装置における再生時の動作について簡単に説明する。ディスク１に記録されたデータは、ピックアップ３で検出され、ＲＦアンプ４で波形整形及び増幅が行われた後、ＤＳＰ５においてＤＶＤ規格に従いデコードされる。デコードされたデータは、ＭＰＥＧにより圧縮されている状態でトラックバッファＲＡＭ７に順次蓄えられ、バックエンドマイコン１６からの読み出し要求を待つ。
【００１８】
そして、トラックバッファＲＡＭ７に蓄えられたデータは、バックエンドマイコン１６からの読み出し要求に従って順次読み出され、Ａ／Ｖデコーダ１１に転送されて、ここでＭＰＥＧによる圧縮データの伸長が行われてビデオデータにデコードされる。デコードされたビデオデータは、Ａ／ＶデコードＲＡＭ１５に一旦蓄えられた後、再び読み出されてビデオエンコーダ１３に順次転送され、ここでアナログのビデオ信号に変換されてビデオ出力端子１３ａ、１３ｂから出力される。
【００１９】
一方、ＭＰＥＧにより圧縮されているオーディオデータについては、ビデオデータと同様にトラックバッファＲＡＭ７に順次蓄えられ、バックエンドマイコン１６からの読み出し要求に従って順次読み出され、Ａ／Ｖデコーダ１１に転送されて、ここでＭＰＥＧによる圧縮データの伸長が行われてオーディオデータにデコードされる。デコードされたオーディオデータは、Ａ／ＶデコードＲＡＭ１５に一旦蓄えられた後、再び読み出されてＤ／Ａコンバータ１４に順次転送され、ここでアナログのオーディオ信号に変換されてオーディオ出力端子１４ａから出力される。
【００２０】
このような再生動作過程において、トラックバッファＲＡＭ７に蓄えられたデータは、バックエンドマイコン１６からの読み出し要求に従って順次読み出されると、次のデータによって順次上書きされ、これを繰り返すことによって画像データを順次その後の信号再生系に出力するようになっている。
【００２１】
また、Ａ／ＶデコードＲＡＭ１５についても同様であり、Ａ／ＶデコードＲＡＭ１５に蓄えられたデータは、バックエンドマイコン１６からの読み出し要求に従って順次読み出されると、トラックバッファＲＡＭ７から読み出され転送されてきた次のデータによって順次上書きされ、これを繰り返すことによって画像データを順次その後の信号再生系に出力するようになっている。
【００２２】
ここで、バックエンドマイコン１６はＯＳＤ画像を生成する機能も備えている。バックエンドマイコン１６で生成されたＯＳＤ画像（後述するバックエンドマイコン１６内の第３のＲＡＭ１６６に格納された画像データ）は、Ａ／Ｖデコーダ１１を介してビデオエンコーダ１３に供給され、ビデオエンコーダ１３にてディスク１から再生された画像データに重畳される。
【００２３】
以下、バックエンドマイコン１６がＯＳＤ画像を生成する動作について説明する。バックエンドマイコン１６は、図２に示すように、ＣＰＵ１６１、ＤＭＡ（Ｄｉｒｅｃｔ  Ｍｅｍｏｒｙ  Ａｃｃｅｓｓ）コントローラ（以下、「ＤＭＡＣ」）１６２、ＲＯＭ１６３、第１のＲＡＭ１６４、第２のＲＡＭ１６５、及び、第３のＲＡＭ１６６を備えている。これらはバス１６７で接続されている。
【００２４】
ＲＯＭ１６３には、ＯＳＤ画像の各ドットがキャラクタ部分であるか背景部分であるかを示すパターンデータ、及び、ＯＳＤ画像のキャラクタ部分と背景部分との色を指定する着色用データが格納されている。尚、パターンデータは、例えば、キャラクタ部分のドットが「１」、背景部分のドットが「０」となっている。
【００２５】
第１のＲＡＭ１６４は、ＯＳＤ画像の背景部分がとり得る各色のデータをＯＳＤ画像の１ライン分ずつ格納可能な容量をもっている。第２のＲＡＭ１６５は、ＯＳＤ画像の１ライン分だけ色のデータを格納可能な容量をもっている。
【００２６】
第３のＲＡＭ１６６は、ＯＳＤ画像の全ドット数だけ色のデータを格納可能な容量をもっている。また、第３のＲＡＭ１６６に格納されているデータは、Ａ／Ｖデコーダ１１を介してビデオエンコーダ１３に供給され、ディスク１から再生された画像データに重畳される。すなわち、第３のＲＡＭ１６６は、そこに格納されているデータに基づいて表示が行われる表示用のメモリとなっている。
【００２７】
ＣＰＵ１６１は、システムの起動後、図３のフローチャートに示す処理を行うことによって、ＯＳＤ画像の背景部分がとり得る各色のデータをＯＳＤ画像の１ライン分ずつ第１のＲＡＭ１６４に予め格納しておく。
【００２８】
また、ＣＰＵ１６１は、ＯＳＤ画像の表示要求を受けると、図４のフローチャートに示す処理を行う。この処理について説明する。表示要求があったＯＳＤ画像の背景部分として指定されている色をＲＯＭ１６３に格納されている着色用データに基づいて認識し、表示要求があったＯＳＤ画像の背景部分として指定されている色の１ライン分のデータを第１のＲＡＭ１６４から第２のＲＡＭ１６５にＤＭＡＣ１６２を用いてＤＭＡ転送する（Ｓ１）。
【００２９】
次に、ＲＯＭ１６３に格納されているパターンデータ及び着色用データに基づいて着目中のライン上におけるＯＳＤ画像のキャラクタ部分についてのみ第２のＲＡＭ１６５に展開する（Ｓ２）。すなわち、ＲＯＭ１６３に格納されているパターンデータ及び着色用データに基づいて着目中のライン上におけるＯＳＤ画像のキャラクタ部分及びＯＳＤ画像のキャラクタ部分として指定されている色を認識し、着目中のライン上におけるＯＳＤ画像のキャラクタ部分に対応する、第２のＲＡＭ１６５上の領域にＯＳＤ画像のキャラクタ部分として指定されている色のデータを格納する。
【００３０】
次に、第２のＲＡＭ１６５に格納されているデータ（ＯＳＤ画像の１ライン分の色のデータ）を着目中のラインに対応する、第３のＲＡＭ１６６上の領域にＤＭＡＣ１６２を用いてＤＭＡ転送する（Ｓ３）。Ｓ３を終えると、全てのラインに着目し終わっていない場合は（Ｓ４のＮｏ）、着目するラインを次のラインに更新し（Ｓ５）、その後、前述したＳ１へ移行する。
【００３１】
以上の処理により、例えば図５に示すように、キャラクタ部分「Ｆ」が赤色、背景部分が青色のＯＳＤ画像を生成する場合において、第２のＲＡＭ１６５及び第３のＲＡＭ１６６に格納されているデータは以下のように推移する。
【００３２】
まず、図６の（ａ）のイメージ図に示すように、図５に示すＯＳＤ画像の背景部分の色である青色の１ラインが第１のＲＡＭ１６４から転送されて第２のＲＡＭ１６５に格納された状態になる。
【００３３】
次に、図５に示すＯＳＤ画像の先頭のラインＬ１上の全てのドットが背景部分であるので、第２のＲＡＭ１６５への展開は行われず、その結果、図６の（ｂ）のイメージ図に示すように、図５に示すＯＳＤ画像の先頭のラインＬ１と同じもの（この場合は、青色の１ライン）が第２のＲＡＭ１６５に格納された状態になる。
【００３４】
次に、第２のＲＡＭ１６５に格納されているデータが第３のＲＡＭ１６６にＤＭＡ転送され、図６の（ｃ）のイメージ図に示すように、第３のＲＡＭ１６６の先頭のライン５−１に図５に示すＯＳＤ画像の先頭のラインＬ１と同じものが格納された状態になる。
【００３５】
次に、図７の（ａ）のイメージ図に示すように、図５に示すＯＳＤ画像の背景部分の色である青色の１ラインが第１のＲＡＭ１６４から再び転送されて第２のＲＡＭ１６５に格納された状態になる。
【００３６】
次に、図５に示すＯＳＤ画像では２番目のラインＬ２上にキャラクタ部分のドットが存在するので、このキャラクタ部分についてのみ第２のＲＡＭ１６５に展開され、図７の（ｂ）のイメージ図に示すように、図５に示すＯＳＤ画像の２番目のラインＬ２と同じものが第２のＲＡＭ１６５に格納された状態になる。
【００３７】
次に、第２のＲＡＭ１６５に格納されているデータが第３のＲＡＭ１６６にＤＭＡ転送され、図７の（ｃ）のイメージ図に示すように、第３のＲＡＭ１６６の２番目のライン５−２に図５に示すＯＳＤ画像の２番目のラインＬ２と同じものが格納された状態になる。
【００３８】
以下、同様にして、３番目のラインから最後のラインまで順番に処理され、その結果、図８のイメージ図に示すように、第３のＲＡＭ１６６の各ライン５−１、５−２、…、５−ｎには、それぞれ図５に示すＯＳＤ画像の対応するラインＬ１、Ｌ２、…、Ｌｎと同じものが格納された状態になる。
【００３９】
このように、本実施形態では、ＯＳＤ画像の背景部分がとり得る各色のデータを１ライン分ずつ第１のＲＡＭ１６４に予め格納しておき、表示要求があったＯＳＤ画像の背景部分として指定されている色の１ライン分のデータを第１のＲＡＭ１６４から第２のＲＡＭ１６５にＤＭＡ転送するので、表示要求があったＯＳＤ画像の背景部分はこの時点で展開されていることになり、ＯＳＤ画像をキャラクタ部分についてのみメモリに展開するだけでよくなる。一方、ＲＡＭ間でデータ転送を行う回数は従来と比べて増加するが、ＲＡＭ間ではデータをＤＭＡ転送している。
【００４０】
以上より、ＯＳＤ画像が生成される（ＲＯＭ１６３に格納されているパターンデータ及び背景色データに基づいてＯＳＤ画像が表示用のメモリである第３のＲＡＭ１６６に展開される）までに要する時間が短縮される。また、生成するＯＳＤ画像に背景部分が多いほど、ＯＳＤ画像の生成に要する時間は短くなる。このように、ＯＳＤ画像が生成されるまでに要する時間が短縮されることで、使用者から見ると、ＯＳＤ画像がより高速に表示されることになり、操作性が向上する。
【００４１】
また、ＯＳＤ画像の生成を行っている場合でも、ＤＭＡ転送が実行されている間は、ＣＰＵ１６１が他の処理を実行することができるので、他の処理を効率良く行うことができるようになる。
【００４２】
また、本実施形態では、第１のＲＡＭ１６４からＯＳＤ画像の背景部分と同じ色の１ラインを転送する先、及び、ＯＳＤ画像をキャラクタ部分についてのみ展開する先を、表示用のメモリである第３のＲＡＭ１６６にするのではなく、表示用のメモリではない第２のＲＡＭ１６５にしているので、ＯＳＤ画像の各ラインを確立させてから表示用のメモリである第３のＲＡＭ１６６に転送されることになり、ＯＳＤ画像のちらつきなどを抑制することができる。
【００４３】
【発明の効果】
以上説明したように、本発明によれば、パターンデータをキャラクタ部分についてのみメモリに展開すればよくなるので、メモリ間でデータ転送を行う回数は増えるが、メモリ間ではデータをＤＭＡ転送していることから、トータル的に見れば、ＯＳＤ画像が生成されるまでに要する時間を短縮することができる。その結果、ＯＳＤ画像がより高速に表示されることになり、操作性が向上する。
【００４４】
また、メモリ間でデータがＤＭＡ転送されている間はＣＰＵが他の処理を実行することができることから、ＯＳＤ画像を生成している間もＣＰＵが他の処理を実行することができるようになるので、他の処理を効率良く行うことができるようになる。したがって、マイクロコンピュータに様々な処理が要求されるディスク再生装置などにおいて本発明を適用することによって動作の高速化などが期待される。
【図面の簡単な説明】
【図１】本発明を適用したディスク再生装置のブロック図である。
【図２】図１中のバックエンドマイコンのＯＳＤ画像の生成に関与する部分の構成を示す図である。
【図３】バックエンドマイコン内のＣＰＵがシステム起動時に行う動作のフローチャートである。
【図４】バックエンドマイコン内のＣＰＵがＯＳＤ画像の表示要求を受けたときに行う動作のフローチャートである。
【図５】ＯＳＤ画像の一例を示す図である。
【図６】図５のＯＳＤ画像が生成される際にバックエンドマイコン内の第２のＲＡＭ及び第３のＲＡＭに格納されるデータのイメージを示す図である。
【図７】図５のＯＳＤ画像が生成される際にバックエンドマイコン内の第２のＲＡＭ及び第３のＲＡＭに格納されるデータのイメージを示す図である。
【図８】図５のＯＳＤ画像が生成される際にバックエンドマイコン内の第３のＲＡＭに最終的に格納されるデータのイメージを示す図である。
【符号の説明】
１    ディスク
２    ディスクモータ
３    ピックアップ
４    ＲＦアンプ
５    ＤＳＰ（デジタルシグナルプロセッサ）
６    サーボ処理回路
７    トラックバッファＲＡＭ
８    マイクロコンピュータ（フロントエンドマイコン）
１１    Ａ／Ｖデコーダ
１３    ビデオエンコーダ
１４    Ｄ／Ａコンバータ
１５    Ａ／ＶデコードＲＡＭ
１６    マイクロコンピュータ（バックエンドマイコン）
１７    ワークＲＡＭ
１９    フロントパネルコントローラ
２０    フロントパネル
２１    キー入力部
２２    リモコン
１６１    ＣＰＵ
１６２    ＤＭＡＣ（ＤＭＡコントローラ）
１６３    ＲＯＭ
１６４    第１のＲＡＭ
１６５    第２のＲＡＭ
１６６    第３のＲＡＭ（表示用のメモリ）
１６７    バス
【図１】
0003598515.tif 000002
【図２】
0003598515.tif 000003
【図３】
0003598515.tif 000004
【図４】
0003598515.tif 000005
【図５】
0003598515.tif 000006
【図６】
0003598515.tif 000007
【図７】
0003598515.tif 000008
【図８】
0003598515.tif 000009